【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
第１の基地局（ＢＳ）のためのワイヤレス通信の方法であって、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここにおいて、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を備え、前記同じタイプの基準信号は、セル固有基準信号（ＣＲＳ）または測位基準信号（ＰＲＳ）に基づき、前記第１の基地局によって構成された帯域幅を有する、方法。
【請求項２】
前記第１のシンボルはサブフレーム中の最初のシンボルであり、前記第２のシンボルはサブフレーム中の最後のシンボルである、請求項１に記載の方法。
【請求項３】
サブフレームの前記第２のセット中の少なくとも１つのサブフレームはスペシャルサブフレームまたはアップリンク（ＵＬ）サブフレームのうちの１つであり、前記少なくとも１つのサブフレームの少なくとも一部分はユーザ機器（ＵＥ）によるＵＬ信号の送信のために割り振られる、請求項１に記載の方法。
【請求項４】
サブフレームの前記第２のセット中の前記少なくとも１つのサブフレーム中で信号を送信することを抑制するようにとの命令をユーザ機器（ＵＥ）に送信することをさらに備える、請求項３に記載の方法。
【請求項５】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項１に記載の方法。
【請求項６】
前記第１の基準信号または前記第２の基準信号のうちの少なくとも１つのための帯域幅を構成することをさらに備え、前記第１の基準信号または前記第２の基準信号のうちの少なくとも１つは、前記構成された帯域幅を使用して送信される、請求項１に記載の方法。
【請求項７】
前記第１のＢＳのダウンリンクシステム帯域幅を決定することをさらに備え、前記構成された帯域幅は前記ダウンリンクシステム帯域幅よりも小さい、請求項６に記載の方法。
【請求項８】
前記第１の基準信号または前記第２の基準信号のうちの少なくとも１つに関連する１つまたは複数のパラメータを別のノードに送信することをさらに備え、
前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項６に記載の方法。
【請求項９】
前記第１の基準信号または前記第２の基準信号のうちの少なくとも１つのためのサイクリックプレフィックスを決定することをさらに備え、前記決定されたサイクリックプレフィックスは共通基準信号のサイクリックプレフィックスとは異なる、請求項１に記載の方法。
【請求項１０】
サブフレームの前記第１のセットまたはサブフレームの前記第２のセットのうちの少なくとも１つは周期構成に基づく、請求項１に記載の方法。
【請求項１１】
少なくとも前記第１の基準信号または前記第２の基準信号は、２つまたはそれ以上の連続するサブフレーム中で送信される、請求項１０に記載の方法。
【請求項１２】
ワイヤレス通信のための第１の基地局（ＢＳ）であって、
メモリと、
前記メモリに結合された少なくとも１つのプロセッサと
を備え、
前記少なくとも１つのプロセッサは、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここにおいて、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を行うように構成され、前記第１の基準信号または前記第２の基準信号のうちの少なくとも１つは、セル固有基準信号（ＣＲＳ）または測位基準信号（ＰＲＳ）に基づき、前記第１の基地局によって構成された帯域幅を有する、第１のＢＳ。
【請求項１３】
前記第１のシンボルがサブフレーム中の最初のシンボルであり、前記第２のシンボルがサブフレーム中の最後のシンボルである、請求項１２に記載の第１のＢＳ。
【請求項１４】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項１２に記載の第１のＢＳ。
【請求項１５】
前記少なくとも１つのプロセッサは、サブフレームの前記第２のセット中の前記少なくとも１つのサブフレーム中で信号を送信することを抑制するようにとの命令をユーザ機器（ＵＥ）に送信するようにさらに構成された、請求項１４に記載の第１のＢＳ。
【請求項１６】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項１２に記載の第１のＢＳ。
【請求項１７】
前記同じタイプの基準信号は測位基準信号（ＰＲＳ）である、請求項１２に記載の第１のＢＳ。
【請求項１８】
前記少なくとも１つのプロセッサは、前記第１の基準信号または前記第２の基準信号のうちの少なくとも１つのための帯域幅を構成するようにさらに構成され、前記第１の基準信号または前記第２の基準信号のうちの少なくとも１つは、前記構成された帯域幅を使用して送信される、請求項１２に記載の第１のＢＳ。
【請求項１９】
前記少なくとも１つのプロセッサは、前記第１のＢＳのダウンリンクシステム帯域幅を決定するようにさらに構成され、前記構成された帯域幅は、前記ダウンリンクシステム帯域幅よりも小さい、請求項１８に記載の第１のＢＳ。
【請求項２０】
前記少なくとも１つのプロセッサは、前記第１の基準信号または前記第２の基準信号のうちの少なくとも１つに関連する１つまたは複数のパラメータを別のノードに送信するようにさらに構成され、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項１８に記載の第１のＢＳ。
【請求項２１】
前記少なくとも１つのプロセッサは、前記第１の基準信号または前記第２の基準信号のうちの少なくとも１つのためのサイクリックプレフィックスを決定するようにさらに構成され、前記決定されたサイクリックプレフィックスは共通基準信号のサイクリックプレフィックスとは異なる、請求項１２に記載の第１のＢＳ。
【請求項２２】
サブフレームの前記第１のセットまたはサブフレームの前記第２のセットのうちの少なくとも１つは周期構成に基づく、請求項１２に記載の第１のＢＳ。
【請求項２３】
少なくとも前記第１の基準信号または前記第２の基準信号は、２つまたはそれ以上の連続するサブフレーム中で送信される、請求項２２に記載の第１のＢＳ。
【請求項２４】
第１の基地局（ＢＳ）のためのワイヤレス通信のための装置であって、
発見または測定のうちの少なくとも１つのための第１の基準信号と、同期のための第２の基準信号とを決定するための手段と、ここにおいて、前記第１の基準信号と前記第２の基準信号の両方が同じタイプの基準信号に基づく、
１つまたは複数のシンボル中で前記第１の基準信号を含むサブフレームの第１のセットを送信し、１つまたは複数のシンボル中で前記第２の基準信号を含むサブフレームの第２のセットを送信するための手段と、ここで、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を備え、前記同じタイプの基準信号は、セル固有基準信号（ＣＲＳ）または測位基準信号（ＰＲＳ）に基づき、前記第１の基地局によって構成された帯域幅を有する、装置。
【請求項２５】
前記第１のシンボルがサブフレーム中の最初のシンボルであり、前記第２のシンボルがサブフレーム中の最後のシンボルである、請求項２４に記載の装置。
【請求項２６】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項２４に記載の装置。
【請求項２７】
サブフレームの前記第２のセット中の前記少なくとも１つのサブフレーム中で信号を送信することを抑制するようにとの命令をユーザ機器（ＵＥ）に送信するための手段をさらに備える、請求項２６に記載の装置。
【請求項２８】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項２４に記載の装置。
【請求項２９】
前記第１の基準信号または前記第２の基準信号のうちの少なくとも１つのための帯域幅を構成するための手段をさらに備え、前記第１の基準信号または前記第２の基準信号のうちの少なくとも１つは、前記構成された帯域幅を使用して送信される、請求項２４に記載の装置。
【請求項３０】
前記構成するための手段は、前記第１のＢＳのダウンリンクシステム帯域幅を決定し、前記構成された帯域幅は、前記ダウンリンクシステム帯域幅よりも小さい、請求項２９に記載の装置。
【請求項３１】
前記送信するための手段は、前記第１の基準信号または前記第２の基準信号のうちの少なくとも１つに関連する１つまたは複数のパラメータを別のノードに送信し、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項２９に記載の装置。
【請求項３２】
前記決定するための手段は、前記第１の基準信号または前記第２の基準信号のうちの少なくとも１つのためのサイクリックプレフィックスを決定し、前記決定されたサイクリックプレフィックスは共通基準信号のサイクリックプレフィックスとは異なる、請求項２４に記載の装置。
【請求項３３】
サブフレームの前記第１のセットまたはサブフレームの前記第２のセットのうちの少なくとも１つは周期構成に基づく、請求項２４に記載の装置。
【請求項３４】
少なくとも前記第１の基準信号または前記第２の基準信号は、２つまたはそれ以上の連続するサブフレーム中で送信される、請求項３３に記載の装置。
【請求項３５】
第１の基地局（ＢＳ）のためのワイヤレス通信のためのコンピュータ実行可能コードを記憶する非一時的コンピュータ可読媒体であって、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここで、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を行うためのコードを備え、前記同じタイプの基準信号は、セル固有基準信号（ＣＲＳ）または測位基準信号（ＰＲＳ）に基づき、前記第１の基地局によって構成された帯域幅を有する、コンピュータ可読媒体。
【請求項３６】
前記第１のシンボルがサブフレーム中の最初のシンボルであり、前記第２のシンボルがサブフレーム中の最後のシンボルである、請求項３５に記載のコンピュータ可読媒体。
【請求項３７】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項３５に記載のコンピュータ可読媒体。
【請求項３８】
サブフレームの前記第２のセット中の前記少なくとも１つのサブフレーム中で信号を送信することを抑制するようにとの命令をユーザ機器（ＵＥ）に送信するためのコードをさらに備える、請求項３７に記載のコンピュータ可読媒体。
【請求項３９】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項３５に記載のコンピュータ可読媒体。
【請求項４０】
前記第１の基準信号または前記第２の基準信号のうちの少なくとも１つのための帯域幅を構成するためのコードをさらに備え、前記第１の基準信号または前記第２の基準信号のうちの少なくとも１つは、前記構成された帯域幅を使用して送信される、請求項３５に記載のコンピュータ可読媒体。
【請求項４１】
前記第１のＢＳのダウンリンクシステム帯域幅を決定するためのコードをさらに備え、前記構成された帯域幅は、前記ダウンリンクシステム帯域幅よりも小さい、請求項４０に記載のコンピュータ可読媒体。
【請求項４２】
前記第１の基準信号または前記第２の基準信号のうちの少なくとも１つに関連する１つまたは複数のパラメータを別のノードに送信するためのコードをさらに備え、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項４０に記載のコンピュータ可読媒体。
【請求項４３】
前記第１の基準信号または前記第２の基準信号のうちの少なくとも１つのためのサイクリックプレフィックスを決定するためのコードをさらに備え、前記決定されたサイクリックプレフィックスは共通基準信号のサイクリックプレフィックスとは異なる、請求項３５に記載のコンピュータ可読媒体。
【請求項４４】
サブフレームの前記第１のセットまたはサブフレームの前記第２のセットのうちの少なくとも１つは周期構成に基づく、請求項３５に記載のコンピュータ可読媒体。
【請求項４５】
少なくとも前記第１の基準信号または前記第２の基準信号は、２つまたはそれ以上の連続するサブフレーム中で送信される、請求項４４に記載のコンピュータ可読媒体。